(57)【要約】      （修正有）【課題】上経糸を表面側面組織の経糸とし、下経糸を裏面側面組織の経糸として、タオル製織用のジャガード機に改造を加えずに写真風多重織物を製織可能にする方法の提供。【解決手段】色緯糸２、３、４、５を１組とし、色緯糸２、３、４、５の内、その部分の外面に表現する柄に必要な色緯糸を選択して上経糸６と交錯し、表面側面組織１の外面に柄を表現された平織りのガーゼ織り組織に形成されている表面側面組織１。色緯糸８、９を１組とし、その部分の柄の表現に必要な色緯糸８を選択して下経糸１０と交錯し、裏面側面組織７の外面に柄を表現した平織りのガーゼ織り組織に形成されている裏面側面組織７。表面側面組織１と裏面側面組織７の何れの外面に表出されない色緯糸が、表面側面組織１と裏面側面組織７との間に隠蔽されており、下経糸１０が、上経糸６に引っ掛けて表面側面組織１に裏面側面組織７を結合している方法。【選択図】図１
2018104871.tif 000002
【特許請求の範囲】
【請求項１】
上経糸と緯糸を交錯させて織成された面組織の外面に表出した上経糸又は／及び緯糸で写真風柄表現部分を設けた表面側面組織と、下経糸と緯糸を交錯させて織成された裏面側面組織を結合させた写真風多重織物であって、
表面側面組織の外面に表現する原図柄を色分解して特定し夫々の色に染色された複数種類の色緯糸を１組とし、
裏面側面組織の外面に表現する原図柄を色分解して特定し夫々の色に染色された複数種類の色緯糸を１組とし、
表面側面組織の複数種類１組の色緯糸のうち柄表現に必要な色緯糸のみを上経糸と交錯して外面に所望の柄を表出した表面側面組織と、下経糸と裏面側面組織の複数種類１組の色緯糸のうち柄表現に必要な緯糸のみを交錯して外面に所望の柄を表出した裏面側面組織が略平行に積層され、
表面側面組織又は裏面側面組織の何れの外面にも表出していない複数種類の色緯糸を、表面側面組織と裏面側面組織との間に設けられた空間部に配設して隠蔽し、
表面側面組織の上経糸に裏面側面組織の下経糸を絡め、表面側面組織と裏面側面組織を結合させたことを特徴とする写真風多重織物。
【請求項２】
表面側面組織の外面に表現する柄の原図案と裏面側面組織の外面に表現する柄の原図案を、夫々画像入力手段により光学的に読み取り、画像データとして解像度が使用するジャガード機のデータに対応してピクセル調整されたコンピュータに取り込む工程と、
取り込まれた表面側面組織の外面に表現する表面側面組織用画像データと裏面側面組織の外面に表現する裏面側面組織用画像データを夫々色分解し、分解された色のうち柄表現に必要な色を、使用するジャガード機の色糸限定数の範囲内で複数色を特定する工程と、
分解された表面側面組織用画像に所定間隔を有して所定幅の無地ストライプと表面側面組織用画像ストライプを交互に配設して表面側面組織用画像をストライプ画像に分離する工程と、
分解された裏面側面組織用画像を所定間隔を有して所定幅の無地ストライプと裏面側面組織用画像ストライプを交互に配設して裏面側面組織用画像をストライプ画像に分離する工程と、
前記表面側面組織用のストライプ画像と前記裏面側面組織用のストライプ画像を、夫々の無地ストライプが重合しないように重合し、表面側面組織用画像のストライプ画像と裏面側面組織用画像のストライプ画像を交互に配設する工程とにより作成された織成データに従ってジャガード機を駆動させ、
上経糸と交錯し表面側面組織を織成する部分においては、表面側面組織外面に表現する原図案を色分解し特定された複数種類の色緯糸を１組として射出配設され、射出された１組の色緯糸のうち表面側面組織外面に表現する柄に必要な色緯糸を上経糸の外面側に押し上げて表面側面組織外面に表出し、
下経糸と交錯し裏面側面組織を織成する部分においては、裏面側面組織外面に表現する原図案を色分解し特定された複数種類の色緯糸を１組として射出配設され、射出された１組の色緯糸のうち裏面側面組織外面に表現する柄に必要な色緯糸を下経糸の外面側に押し下げて裏面側面組織外面に表出し、
射出された２組の色緯糸のうち表面側面組織外面又は裏面側面組織外面の何れにも配設されない色緯糸は表面側面組織と裏面側面組織との間に配設されて隠蔽し、
織成方向に沿って所定間隔を有して下経糸を上経糸に絡ませ、表面側面組織と裏面側面組織を結合し、
表面側面組織外面と裏面側面組織外面には夫々関連性のない柄が表現可能にしたことを特徴とする写真風多重織物の製織方法。
【発明の詳細な説明】
【技術分野】
【０００１】  本発明は、表面側に表現する図柄と裏面側に表現する図柄が互いに関連性のない図柄に表現可能な多色感を有するジャガード織の写真風多重織物及び写真風多重織物の製織方法に関する。
【背景技術】
【０００２】  天然繊維を材料とした弱撚糸或は無撚糸を用いて織成された高吸水性及び柔軟性に優れたタオル織物は、天然繊維よりなる糸を使用し糸間の隙間が大きい平織りのガーゼ織り組織と相性が良く、従来からパイル（輪奈）が表出されたタオル織組織部分とガーゼ織り組織部分の両方を有するタオル織物が提案されている（例えば、特許文献１又は特許文献２参照）。
特許文献１に開示の二重タオル織物は２種類の地経糸に緯糸を絡ませて平織りのガーゼ織り組織を上下に二重に積層し、一方のガーゼ織り組織の地経糸を昇降することで、２種類の経糸の交叉部で２枚のガーゼ織り組織を結合させ、昇降しない経糸を用いて織成されたガーゼ織り組織にはパイル経糸を用いてパイルを表出させている。
特許文献２に開示の三重タオル織物は、経糸と緯糸で第１層、第２層（中間層）及び第３層からなる三重ガーゼ織物を織成し、パイル表出部分では第２層と第３層の経糸でパイルを形成し、且つ第１層の経糸が交叉結合して第３層側にてガーゼ織り組織を織成し、パイル形成範囲ではガーゼ織り組織とパイルを有するタオル織り組織の二重織物に形成されている。
特許文献１又は特許文献２に開示の織物は、１枚の織物に複雑な図柄が表現されていない平織りのガーゼ織り組織にパイルを組み合わせた単純な柄のタオル織物であった。
ところで、タオル業界は商品に多様性をもたせるためパイルが表出される織物に限定せず、タオル織機を用いてパイルを有しないガーゼ織り組織や朱子織り組織等の面組織のみからなる織物を製織することが提案されている（例えば、特許文献３〜６参照）。
特許文献３には、複数のガーゼ織り組織を重ねた多重ガーゼ織物であって、ガーゼ織り組織の経糸を上下に隣り合うガーゼ織り組織の経糸と交叉させ、上下に隣り合う緯糸に絡ませることで上下に隣り合うガーゼ織り組織を結合したものが提案されている。
特許文献４には、表面層、中間層及び裏面層の上下３層に積層されたガーゼ織り組織の夫々の層を製織する夫々の経糸を交叉することで３層を互いに結合し、１枚の三重ガーゼ織物を構成することが提案されている。
特許文献５には、表面層、中間層及び裏面層が積層されてなる三重ガーゼ織物に関し、表面層のガーゼ織り組織の経糸と、裏面層のガーゼ織り組織の経糸が中間層を交叉することで表面層、中間層及び裏面層を結合し、中間層には無彩色のワタ糸（嵩高糸）を配設し、表面層或は裏面層の何れにも表出しない緯糸を外部から目立たなくするために中間層のワタ糸と共に、中間層の経糸と交錯してガーゼ織り組織にした三重ガーゼ織物が提案されている。
特許文献６には、ガーゼ織り組織層が四重に積層してなる多重ガーゼ織物であって、特定の色緯糸と交錯する経糸が対となり、特定の色緯糸の昇降と共に対となる経糸も交叉結合するように構成されている。
上記特許文献１〜６に開示の何れの多重織物も、経糸が昇降して交叉することで積層する面組織を結合するので、複雑な柄の表現が困難で、表裏反転等の簡単な柄の表現しかできないという問題点があった。又、タオル用ジャガード機でガーゼ織物を製織する場合は、ジャガード機に改造を施す必要性がある。ジャガード機に改造を施した場合、ガーゼ織物の受注が無いときは、ジャガード機への改造を元に戻しタオル用ジャガード機として使用する。ジャガード機の改造作業や復元作業は専門職人の手により行われ、ジャガード機の改造及び復元に時間及びコストを要し、短納期注文や小ロット注文での生産には不向きであるという問題点があった。
【先行技術文献】
【特許文献】
【０００３】
【特許文献１】実公昭５６−２１７８２号公報
【特許文献２】実公平６−２３５８７号公報
【特許文献３】特許第３７４７１９３号公報
【特許文献４】特許第３２０７１５６号公報
【特許文献５】特開２０１０−１８９２０号公報
【特許文献６】特開２００４−１０７８２３号公報
【発明の概要】
【発明が解決しようとする課題】
【０００４】  発明が解決しようとする課題は、タオル製織用ジャガード機で面組織を織成する場合はタオル製織用ジャガード機に改造を施す点であり、又、従来の多重織物は経糸による交叉結合で面組織を積層結合しているため、表現可能な柄が表裏反転等の表面柄と裏面柄に関連性を有する点である。
そこで、本発明は、上経糸は表面側面組織の経糸としての作用を、下経糸は裏面側面組織の経糸としての作用をなすように、上経糸と下経糸に夫々役割分担させることで、タオル製織用ジャガード機を改造することがなくそのまま用いてガーゼ織りや朱子織り等のパイルを具備しない面組織を多重織成し、表面側面組織と裏面側面組織の柄表現に不必要な緯糸を表面側面組織と裏面側面組織との間に隠蔽し、表面側面組織と裏面側面組織に表現される柄に反転等の関連性のない複雑な写真風柄を表現可能にすることを目的とする。
【課題を解決するための手段】
【０００５】  上記目的を達成するために本発明のうち請求項１に記載の発明は、上経糸と緯糸を交錯させて織成された面組織の外面に表出した上経糸又は／及び緯糸で写真風柄表現部分を設けた表面側面組織と、下経糸と緯糸を交錯させて織成された裏面側面組織を結合させた写真風多重織物であって、表面側面組織の外面に表現する原図柄を色分解して特定し夫々の色に染色された複数種類の色緯糸を１組とし、裏面側面組織の外面に表現する原図柄を色分解して特定し夫々の色に染色された複数種類の色緯糸を１組とし、表面側面組織の複数種類１組の色緯糸のうち柄表現に必要な色緯糸のみを上経糸と交錯して外面に所望の柄を表出した表面側面組織と、下経糸と裏面側面組織の複数種類１組の色緯糸のうち柄表現に必要な緯糸のみを交錯して外面に所望の柄を表出した裏面側面組織が略平行に積層され、表面側面組織又は裏面側面組織の何れの外面にも表出していない複数種類の色緯糸を、表面側面組織と裏面側面組織との間に設けられた空間部に配設して隠蔽し、表面側面組織の上経糸に裏面側面組織の下経糸を絡め、表面側面組織と裏面側面組織を結合させたことを特徴とする。
請求項２に記載の発明は、表面側面組織の外面に表現する柄の原図案と裏面側面組織の外面に表現する柄の原図案を、夫々画像入力手段により光学的に読み取り、画像データとして解像度が使用するジャガード機のデータに対応してピクセル調整されたコンピュータに取り込む工程と、取り込まれた表面側面組織の外面に表現する表面側面組織用画像データと裏面側面組織の外面に表現する裏面側面組織用画像データを夫々色分解し、分解された色のうち柄表現に必要な色を、使用するジャガード機の色糸限定数の範囲内で複数色を特定する工程と、分解された表面側面組織用画像に所定間隔を有して所定幅の無地ストライプと表面側面組織用画像ストライプを交互に配設して表面側面組織用画像をストライプ画像に分離する工程と、分解された裏面側面組織用画像を所定間隔を有して所定幅の無地ストライプと裏面側面組織用画像ストライプを交互に配設して裏面側面組織用画像をストライプ画像に分離する工程と、前記表面側面組織用のストライプ画像と前記裏面側面組織用のストライプ画像を、夫々の無地ストライプが重合しないように重合し、表面側面組織用画像のストライプ画像と裏面側面組織用画像のストライプ画像を交互に配設する工程とにより作成された織成データに従ってジャガード機を駆動させ、上経糸と交錯し表面側面組織を織成する部分においては、表面側面組織外面に表現する原図案を色分解し特定された複数種類の色緯糸を１組として射出配設され、射出された１組の色緯糸のうち表面側面組織外面に表現する柄に必要な色緯糸を上経糸の外面側に押し上げて表面側面組織外面に表出し、下経糸と交錯し裏面側面組織を織成する部分においては、裏面側面組織外面に表現する原図案を色分解し特定された複数種類の色緯糸を１組として射出配設され、射出された１組の色緯糸のうち裏面側面組織外面に表現する柄に必要な色緯糸を下経糸の外面側に押し下げて裏面側面組織外面に表出し、射出された２組の色緯糸のうち表面側面組織外面又は裏面側面組織外面の何れにも配設されない色緯糸は表面側面組織と裏面側面組織との間に配設されて隠蔽し、織成方向に沿って所定間隔を有して下経糸を上経糸に絡ませ、表面側面組織と裏面側面組織を結合し、表面側面組織外面と裏面側面組織外面には夫々関連性のない柄が表現可能にしたことを特徴とする。
【発明の効果】
【０００６】  タオル製織用のジャガード機に改造を加えることなく、上経糸は表面側面組織の経糸とし、下経糸は裏面側面組織の経糸として役割を分担をさせることで上経糸（パイル経糸）と下経糸が交叉しないように、パイル織物を製織中であっても即座にガーゼ織りや朱子織り等の面組織を織成することができるという効果がある。
ジャがード機の緯糸射出モーターの数の範囲内で特定した複数種類の色緯糸を表面側面組織用緯糸と裏面側面組織用緯糸に振り分けることで、表面側面組織外面に表現する柄のと裏面側面組織外面表面に表現する柄に表裏反転関係等がなく独立した柄を表現できるという効果がある。
【図面の簡単な説明】
【０００７】
【図１】表面側面組織と裏面側面組織がガーゼ織り組織である場合のジャガード織多重織物で経断面図である。（実施例１）
【図２】表面側面組織が朱子織り組織で裏面側面組織がガーゼ織り組織である場合のジャガード織多重織物で経断面図である。（実施例２）
【図３】表面側面組織外面に表現する柄の原図案である。（実施例３）
【図４】裏面側面組織外面に表現する柄の原図案である。（実施例３）
【図５】図３を４色で色分解した写真図である。（実施例３）
【図６】ストライプを示す説明図である。（実施例３）
【図７】無地ストライプを含む表面用画像の一部を示す説明図である。（実施例３）
【図８】無地ストライプを含む裏面洋画像の一部を示す説明図である。（実施例３）
【図９】合成後の画像の拡大説明図である。（実施例３）
【図１０】下経糸を上経糸に絡ませて表面側面組織と裏面側面組織を結合する状態を示す説明図である。（実施例３）
【発明を実施するための形態】
【０００８】  上経糸と選択された色緯糸で表面側面組織を製織し、下経糸と選択された色緯糸で裏面側面組織を製織することで上経糸を表面側面組織の経糸とし、下経糸を裏面側面組織の経糸とし、上経糸と下経糸を互いに交叉させないように振り分けることでよりジャガード機で簡単に表面と裏面の柄に関連性のない二重織物を製織することを実現できた。
【実施例１】
【０００９】  図１に示される実施例１について説明する。表面側面組織１は、表面側面組織１の外面に表現される柄に必要な特定された色に染色された複数種類の色緯糸２、３、４、５を１組とし、この１組の色緯糸２、３、４、５のうち、その部分の外面に表現する柄に必要な色緯糸２、３を選択して上経糸６と交錯し、上経糸の外面側に押し上げて表出され、表面側面組織１の外面に柄を表現された平織りのガーゼ織り組織に形成されている。
裏面側面組織７は、裏面側面組織７の外面に表出される柄に必要な特定された色に染色された色緯糸８、９を１組とし、この１組の色緯糸８、９のうち、その部分の柄の表現に必要な色緯糸８を選択して下経糸１０と交錯し、下経糸１０は選択された色緯糸８を外面側に押し下げて裏面側面組織７の外面に柄を表現した平織りのガーゼ織り組織に形成されている
表面側面組織１と裏面側面組織７との間には、表面側面組織１の外面と裏面側面組織７の外面に表出されない色緯糸が織物の厚み方向に沿って重合して配設され隠蔽されている。例えば、図１中において裏面側面組織７に色緯糸８が表出され上経糸６の外面に色緯糸２が表出されている部分では表面側面組織１と裏面側面組織７との間に色緯糸３、４、５、９が隠蔽され、色緯糸が表出されていない部分では表面側面組織１と裏面側面組織７との間に色緯糸５、３、４、２、９が隠蔽され、色緯糸３が表出されている部分で表面側面組織１と裏面側面組織７との間には２、４、５、９が隠蔽されている。
下経糸１０は、経糸６、１０の長さ方向（織成方向）に沿って所定間隔を有して上昇し、上経糸６に引っ掛けられて絡まって、表面側面組織１に裏面側面組織７を結合している。
実施例１では、表面側面組織１が上経糸６と色緯糸２、３、４、５のうち柄の表現に必要な選択された色緯糸と交錯した平織りのガーゼ織り組織で、裏面側面組織７が下経糸１０と色緯糸８、９のうち柄表現に必要な選択された色緯糸と交錯した平織りのガーゼ織り組織によるジャガード織りの二重ガーゼ織物を例に説明した。上経糸６と下経糸１０が交錯する色緯糸を複数種類を２組として夫々１組ずつ上経糸用と下経糸用に特定し、夫々に割り当てられた１組の複数種類の色緯糸と上経糸６と下経糸１０と交錯するので、上経糸６も下経糸１０も交叉することがなく表面と裏面に反転等の関連性を有しない独立した緻密な柄を表現することができる。
【実施例２】
【００１０】  図２に示される実施例２について説明する。表面側面組織１１は、表面側面組織１１の外面に表現する柄に必要な特定された色に染色された複数種類の色緯糸１２、１３、１４、１５のうち、その部分の外面に表現する柄に必要な色緯糸１２、１３、１４が選択されて上経糸１６と交錯して柄を有する朱子織り組織を織成している。
裏面側面組織１７は、裏面側面組織１７の外面に表出される柄に必要な特定された色に染色された色緯糸１８、１９のうち、その部分の外面に表現される柄等に必要な色緯糸１８を選択し、色緯糸１８を下経糸２０の外面に押し下げて裏面側面組織１７の外面に柄を表現した平織りのガーゼ織り組織に織成されている。
表面側面組織１１と裏面側面組織１７との間には織物の厚み方向に沿って、表面側面組織１１の外面と裏面側面組織１７の外面に表出していない色緯糸が重合配設して隠蔽されている。例えば、図２において上経糸１６の外面に色緯糸１２が表出し、下経糸２０の外面に色緯糸１８が表出している部分では、表面側面組織１１と裏面側面組織１７との間に色緯糸１３、１４、１５、１９が織物の厚み方向に沿って重合配設されて外部から視認不可能に隠蔽されている。
下経糸２０は、経糸１６、２０の長さ方向（織成方向）に沿って所定間隔を有して上昇し、上経糸１６に引っ掛かり絡まって、表面側面組織１１に裏面側面組織１７を結合している。
実施例２では、表面側面組織１１が上経糸１６と色緯糸１２、１３、１４、１５のうち柄の表現に必要な選択された色緯糸と交錯した朱子織り組織で、裏面側面組織１７が下経糸２０と色緯糸１８、１９のうち柄表現に必要な選択された色緯糸と交錯した平織りのガーゼ織り組織が結合したジャガード織りの二重織物を例に説明した。上経糸１６と下経糸２０が交錯する色緯糸を夫々複数種類を１組として割り当てられ、割り当てられた組の複数種類の色緯糸と上経糸１６と下経糸２０と交錯するので、上経糸１６も下経糸２０も交叉することがなく表面と裏面に反転等の関連性を有しない独立した柄を表現することができる。【００１１】  実施例１はジャガード織り二重ガーゼ織物を例に、実施例２は表面が朱子織り組織で裏面が平織りのガーゼ織り組織のジャガード織り二重織物を例に説明したが、本発明はこれらに限定しない。表面側面組織がガーゼ織り組織で裏面側面組織が朱子織り組織の場合や、表面側面組織が朱子織り組織で裏面側面組織も朱子織り組織の場合も本願発明に包含される。
【実施例３】
【００１２】  ジャガード織多重織物の製織方法について、図３〜図１０に基づいて説明する。図３の多重織物の表面側に表現しようとする写真を、カラースキャナ等の画像入力装置により読み取り、コンピューターにフルカラーのデジタル画像として取り込む。図４の多重織物の裏面側に表現しようとする柄をカラースキャナ等の画像入力装置により読み取り、コンピューターにフルカラーのデジタル画像として取り込む。画像を取り込む場合、ピクセルと使用するジャガード機の紋丈及び紋口との関係を関連づけるピクセル調整を行う。つまり、１ピクセルを糸の上と落ちのデータとしてとらえ、ピクセルの存在するところには糸の組織も存在するとして、解像度は使用するジャガード機のデータに対応するようにピクセル調整を行う。【００１３】  次に、複数色を特定する工程について説明する。特許第４２１４５５０号、特許第４３５２３５３号若しくは特許第５１６３８５４号に開示の分解方法を使用することが好適である。例えば、取り込まれたフルカラー画像データをＣ、Ｍ、Ｙ、Ｋに白を加えて色分解し、Ｃ、Ｍ、Ｙ、Ｋの夫々の濃度差を白黒２階調のハーフトーン分解後、白黒に変換された４つの画像信号を統合し、使用するジャガード機の色糸限定数の範囲内に減色する方法や、取り込まれたフルカラー画像データを高周波成分と低周波成分を範囲限定することで特色に色分解し、夫々の濃度差を白黒２階調のハーフトーン分解後、白黒に変換された夫々の画像信号を統合し、使用するジャガード機の色糸限定数の範囲内に減色する方法や、取り込まれたフルカラー画像データをＲＧＢを利用可能な色分解し、分解された色のうち柄の表現に必要な色を使用するジャガード機の色糸限定数の範囲内に減色する方法の何れの方法を使用してもよい。
ジャガード機は、色緯糸を射出するモーター数に限定があるので、モーター数の範囲内において減色する必要がある。例えば、モーター数が４個の場合は、図４に示すように４色で分解する。
減色により色を特定することは、表面側面組織の外面に表現する柄の画像データと、裏面側面組織の外面に表現する柄の画像データの両方の画像データについて行う。表面側の画像データにより特定された色に染色された色緯糸は表面側面組織の柄に複数種類を１組とし、又、裏面側の画像データ特定された色に染色された色緯糸は裏面側面組織の柄に複数種類を１組とする。【００１４】  ストライプを配設する工程について説明する。色分解された表面側面組織用画像と色分解された裏面側面組織用画像を、図６に図示される同一定幅のストライプで分離する。つまり、色分解された画像に、同一の定幅の無地ストライプで画像を織幅方向に交互に配設する。図７は、表面側面組織用画像を無地ストライプで分離した画像である。画像が白色無地ストライプで織幅方向に分離されていることが判る。図８は、裏面側面組織用画像を無地ストライプで分離した画像であり、画像が白色無地ストライプで織幅方向に分離されていることが判る。表面側面組織用画像と裏面側面組織用画像中の無地ストライプの幅は同一幅に設定されている。【００１５】  画像合成による織成データ作成工程について説明する。図７に示す表面側面組織用のストライプ画像と、図８に示す裏面側面組織用のストライプ画像を、白色無地ストライプが重合するように合成する。図９に示すように、表面側面組織用のストライプ２１と裏面側面組織用のストライプ２２が交互に配設され１つの画像に合成される。合成された画像は、上経糸が交錯してなる表面側面組織用のストライプ２１よりなる表面側面組織の画像と、下経糸が交錯してなる裏面側面組織用のストライプ２２よりなる裏面側面組織の画像が縦縞状に交互に配設されて、表裏面の画像が一体化されている。【００１６】  上記製織データをコンピューターに入力後、プログラムに沿ってジャガード機は駆動する。上経糸と交錯する場合、表面用の複数種類で１組の色緯糸が射出され、これら１組の色緯糸のうち必要な色緯糸は上経糸が下がり表出され、不必要な色緯糸は上経糸の内側（下側）に配設される。下経糸と交錯する場合、裏面用の複数種類で１組の色緯糸が射出される。裏面用の複数種類１組の色緯糸のうち不必要な色緯糸は下経糸が下がり、下経糸の内側（上側）に配設される。不要な色緯糸は上経糸と下経糸との間に配設される。図１０に示すように、織り方向に沿って所定間隔毎に下経糸を上げて上経糸に絡ませ留めることで、表面側面組織と裏面側面組織を下経糸で結合し一体化する。
【符号の説明】
【００１７】１、１１  表面側面組織
２、３、４、５、８、９、１２、１３、１４、１５、１８、１９  色緯糸
６、１６  上経糸
７、１７  裏面側面組織
１０、２０  下経糸
２１  表面側面組織用のストライプ
２２  裏面側面組織用のストライプ
【図１】
2018104871.tif 000003
【図２】
2018104871.tif 000004
【図３】
2018104871.tif 000005
【図４】
2018104871.tif 000006
【図５】
2018104871.tif 000007
【図６】
2018104871.tif 000008
【図７】
2018104871.tif 000009
【図８】
2018104871.tif 000010
【図９】
2018104871.tif 000011
【図１０】
2018104871.tif 000012